(57)【特許請求の範囲】
【請求項１】
地理的に限られた区域において紙幣を取扱うためのシステムであって、 地理的に限られた区域（１）にわたってそれぞれ地理的に離れた場所に配置された、紙幣を預入れおよび払出すための複数の紙幣取扱い機械（１１，１２，１３・・・・・１ｎ）であって、投入された紙幣を、一方では受容された品質の余りの紙幣と、他方では受容されない品質の紙幣と、そして第３に発見された偽造紙幣の３つのグループへ区分けし、かつそれらをそれぞれに束ねそしてカセット包装するのに適応した前記複数の紙幣取扱い機械；
前記機械（１１，１２，１３・・・・・１ｎ）から情報を受取り、そしてそれらへ情報および制御信号を送るための前記複数の機械に共通した情報センター（１０）であって、前記情報は一方では貯蔵された紙幣およびカセット包装された紙幣と、他方では受容されなかった品質の紙幣と、そして発見された偽造紙幣の数に関する実際データを含んでいる前記情報センター；および
前記機械から前記情報センターへ送られた情報に基づいて発せられる情報センター（１）からの注文に応答して前記機械（１１，１２，１３・・・・・１ｎ）へおよび前記機械からカセット包装した紙幣を輸送するための複数の輸送車輌からなる輸送手段；よりなり、
前記情報センターは、前記複数の紙幣取扱い機械および前記複数の輸送手段と双方向オンライン接続を有しており、そして各紙幣取扱い機械、各輸送手段、および紙幣／カセットを収容し且つ紙幣／カセットの輸送に使用される各保安バッグも、情報センターが紙幣／カセットの所在およびそれらの目的地について各時間において管理できるようにする個別の同定コードが割り当てられることを特徴とする紙幣取扱いシステム。
【発明の詳細な説明】
【０００１】
【本発明の分野】
本発明は地理的に限られた区域において紙幣を取扱うためのシステムに関する。“キャッシュレス”社会の切迫の多数の予見にもかかわらず、循環している紙幣によって金額で表わした合計額は、例えばスマートなカードのような新しいカードの導入の結果ＢＮＰのパーセントにおける紙幣の枚数は今や減りつつあるものの減少していない。１９９５年に行われた調査は一人あたりの循環している紙幣の米ドルでの価値はイギリスで５２８、カナダで６６２、フランス９８１、イタリーで１，０８２、スウェーデンで１，３１２、ドイツで２，０２５、日本で３，８７３であったことを示した。
【０００２】
紙幣の取扱いは極めてコストがかかり、そして多量の人的労働および品質選別目的および偽造紙幣の追跡目的のため顧客、ビジネス、銀行および国立中央銀行へまたはそれらからの多数の輸送走行をなお含んでいる。
【０００３】
紙幣はこの循環の間異なる多数の機会に計数され、そして保安問題が有意義である。スウェーデンだけにおける紙幣取扱いコストは１３億米ドルと推計される。この数字をヨーロッパ連合の人口に相当するように換算する時、約４５０億米ドルの取扱いコストに達する。さらに合理的なそして分散型紙幣取扱いシステムの導入によって大きい節減をなすことができる。共通通貨への移行は、数１０億ユーロの可能性ある節減をもってヨーロッパ連合内の効果的な紙幣取扱いシステムの導入へ向かって広い歩幅をもって前進する素晴らしい機会を提供する。
【０００４】
【本発明の背景】
紙幣の預入れおよび払出しのための種々のタイプの自動出納機械が知られている。これら自動出納機械は紙幣計数手段と、そして紙幣の質を確立ための手段および／または偽造紙幣を調査するための手段を備えていることができる。そのような自動出納機械は満足に機能するけれども、それらは紙幣の総体循環の間それらの束のくり返される計数を含む社会における前記したコストのかかる紙幣取扱い作業を排除しない。
【０００５】
【本発明の概要】
伝統的な紙幣取扱い作業に含まれる前記した高コストを排除する意図のもとに、地理的に限られた区域において紙幣を取扱うための新規なシステムが提供される。このシステムは複数の紙幣取扱い機械を含み、それらは紙幣の預入れおよび払出しのため前記区域に分布され、そして受容された品質の余った紙幣と、受容されない品質の紙幣と、そして多分偽造紙幣を収束し、包装するように構成される。システムはまた、複数の機械に共通の、そして前記機械から情報およびデータを受取り、前記機械へ情報、データおよび制御信号を送る情報センターを含んでいる。前記情報は貯蔵された紙幣、包装された紙幣、受容されなかった品質の紙幣、および多分偽造された紙幣の存在に関するデータを含んでいる。
【０００６】
システムはまた、機械から情報センターへ送られた情報に従って情報センターからの指令に応答して前記機械へそして機械から包装された紙幣を輸送するための複数の手段を含んでいる。
【０００７】
このシステムは品質選別および多分偽造された紙幣の調査のためそれぞれの国立中央銀行へ紙幣を規則的に輸送する必要性を排除する。機械はいわゆる使い捨てカセットに包装された余った紙幣を計数し、シールするため、多数の後でのチェック計数をする必要性がなくなる。紙幣は輸送中シールしたカセット中に貯蔵される。余った紙幣を収容しているカセットは紙幣が使用のため必要とされるまで開かれない。偽造紙幣または低品質紙幣を収容しているカセットは処分のため国立中央銀行の紙幣センターへ輸送される。各カセットはそれぞれの紙幣が起源した機械を同定し、同時にカセットの中味を特定する受領証を伴う。カセットは使い捨て種類で良く、そして不法にカセットを開こうとする試みをあばく。
【０００８】
地理的に限られた区域例えば国毎に一つまたはそれ以上の情報センターが設立され、そして紙幣要求および紙幣ルートに関する統計に責任を持ち、自動出納機械および輸送車輛と双方向オンライン接続を有する。これらの輸送車輛は機械の保守手入れ、スペア部品、プラスチックカセット包装材料等を提供する。
【０００９】
機械は情報センターへ預入れられたそして払出された紙幣の数、それぞれの機械に所在する紙幣の数およびそれらの価値、発見された偽造紙幣の数、そして利用し得るカセットの数を知らせる。情報センターは機械が紙幣を空にするかまたは補給を必要する時を知らされる。もし適切であれば、この情報は国立中央銀行へも知らされ、それにより機械を所有する銀行が国立中央銀行の口座を直ちにそして連続的に調整することを可能にする。
【００１０】
情報センターは国立中央銀行へ各時点でのマガジン化された紙幣の数、破棄すべき劣悪品質紙幣の数、そして発見されることがある偽造紙幣の数を直ちに知らせる。
【００１１】
各機械は年間の特定の日または日の一部のためのその紙幣要求に関してプログラムされることができ、それによって将来の紙幣要求を事前に立案し従って輸送車輛の一層効果的使用を可能にする。
【００１２】
【好ましい具体例の説明】
今や本発明は添付図面を参照してもっと詳細に記載されるであろう。
【００１３】
複数の紙幣取扱い機械１１，１２，１３，１４・・・・１ｎは紙幣の預入れおよび払出しのため地理的に限られた区域１にわたって配置される。これらの機械は一方では受容された品質の余分の紙幣と、他方では受容されなかった品質の紙幣と、そして第３に発見された偽造紙幣を収束し、カセット包装するのに適応している。
【００１４】
それぞれの機械は、前記機械について共通であり、そして前記機械から情報を受取りそしてそれへ情報および制御信号を届ける情報センター１０へ接続される。この情報は一方では貯蔵された紙幣およびカセット包装された紙幣と、他方では受容されなかった品質の紙幣と、第３には発見された偽造紙幣の存在に関する実際のデーターを含んでいる。
【００１５】
システムはまた、機械から情報センターへ送られた情報に基づいて情報センター１０によって発せられる注文に応答して、前記機械１１，１２，１３，１４・・・・・１ｎへおよび機械からカセット包装された紙幣を輸送するための複数の輸送車輛１８，１９，２０，２１を含んでいる。
【００１６】
図面には機械所有者であり、そして地理的に限られた区域１にあるこれらの機械に責任を有する二つの銀行１６，１７が示されている。関係するコミュニティにおける紙幣取扱いのための主な責任は国立中央銀行１５にある。種々のユニット間の通信接続（紙幣取扱い機械／情報センター、輸送車輛／情報センター、銀行／情報センター、銀行／国立中央銀行）は破線で示されている。
【００１７】
各機械、各輸送車輛、種々のユニット間のカセット／紙幣の輸送に使用される各保安バッグ、およびこのシステムにおいて活動する各人は個別の同定（コード）を与えられることができるため、情報センターは紙幣／カセットの位置およびそれらの目的地について各時点において支配する。これは紙幣の現代的取扱いのための高度に確実な、簡単化されたそしてコスト節約システムを提供する。
0004911442.tif 000002